(57)【要約】マルチモード無線通信装置（１００）が、２つの異なる無線アクセス技術に関連付けられる２つの個別の受信機（１３０、１３２）と、マルチモードチャネル選択回路（１７４）とを備える。第１の受信機（１３０）および第２の受信機（１３２）はそれぞれ、第１のチャネル上で第１の信号（１５０）を受信し、第２のチャネル上で第２の信号（１５２）を受信するように同時に動作する。その際、マルチモードチャネル選択回路（１７４）は、第１の信号から第１のセル選択情報（９５０）を、第２の信号から第２のセル選択情報（９５２）を得る。その後、マルチモードチャネル選択回路（１７４）は、第１および第２のセル選択情報（９５０、９５２）に基づいて、キャンプするのに適したチャネルを選択する。また本発明は、同時に動作する受信機（１３０、１３２）で第１および第２の信号を受信するステップと、第１および第２のセル選択情報（９５０、９５２）を得るステップと、第１および第２のセル選択方法（９５０、９５２）に基づいて、キャンプするのに適したチャネルを選択するステップとを有する方法も含む。
2006500874.tif 000002
【特許請求の範囲】
【請求項１】
マルチモード無線通信装置においてチャネルを選択するための方法であって、
第１の無線アクセス技術に関連付けられる第１の受信機によって第１のチャネル上で第１の信号を受信すること、
前記第１の信号から第１のセル選択情報を得ること、
前記第１の受信機が動作している間に同時に動作している、第２の無線アクセス技術に関連付けられる第２の受信機によって第２のチャネル上で第２の信号を受信すること、
前記第２の信号から第２のセル選択情報を得ること、および
前記第１のセル選択情報および前記第２のセル選択情報に少なくとも基づいて、待ち受ける、すなわちキャンプ（ｃａｍｐ）するのに適したチャネルを選択すること
を含む、マルチモード無線通信装置においてチャネルを選択するための方法。
【請求項２】
前記選択するステップは、
前記第１のセル選択情報から、前記第１のチャネルがキャンプするのに適しているか否かを判定するステップと、
前記第１のチャネルがキャンプするのに適しており、かつ前記第１の無線アクセス技術が好ましいときに、前記第１のチャネルにおいてキャンプするステップと、
前記第２のセル選択情報の処理を中止するステップと
を含む、請求項１に記載のマルチモード無線通信装置においてチャネルを選択するための方法。
【請求項３】
前記第１のセル選択情報から、前記第１のチャネルがキャンプするのに適しているか否かを判定するステップと、
前記第１の無線アクセス技術が好ましくなく、かつ前記第１のチャネルがキャンプするのに適しているときに、該第１のチャネルを表すデータを記憶するステップと、
前記第１の受信機によって受信される信号の処理を中止するステップと
をさらに含む、請求項１に記載のマルチモード無線通信装置においてチャネルを選択するための方法。
【請求項４】
前記選択することは、
前記第２の無線アクセス技術のチャネルがキャンプするのに適していないことを判定するステップと、
前記第２の無線アクセス技術のチャネルがキャンプするのに適していないときに、前記記憶されたデータによって表される前記チャネルにおいてキャンプするステップと
を含む、請求項３に記載のマルチモード無線通信装置においてチャネルを選択するための方法。
【請求項５】
前記第１のセル選択情報から、前記第１のチャネルがキャンプするのに適しているか否かを判定するステップと、
前記第１のチャネルがキャンプするのに適している場合には、前記第１のセル選択情報から、前記第１のチャネルに関連付けられる通信事業者が好ましい通信事業者であるか否かを判定するステップと、
前記第１のチャネルに関連付けられる前記通信事業者のうちの少なくとも１つが好ましい通信事業者であり、かつ前記第１の無線アクセス技術が好ましい無線アクセス技術である場合には、前記第１のチャネルでキャンプするステップと
をさらに含む、請求項１に記載のマルチモード無線通信装置においてチャネルを選択するための方法。
【請求項６】
前記第１のセル選択情報から、前記第１のチャネルがキャンプするのに適しているか否か
を判定するステップと、
前記第１のチャネルがキャンプするのに適している場合には、前記第１のセル選択情報から、前記第１のチャネルに関連付けられる通信事業者が好ましい通信事業者であるか否かを判定するステップと、
前記第１のチャネルに関連付けられる前記通信事業者が好ましい通信事業者であり、前記第１のチャネルがキャンプするのに適している場合には、前記第１の無線アクセス技術が好ましいアクセス技術でないときに、前記第１のチャネルを表すデータを記憶するステップと、
前記第１の受信機によって受信される信号の処理を中止するステップと
をさらに含む、請求項１に記載のマルチモード無線通信装置においてチャネルを選択するための方法。
【請求項７】
マルチモード無線通信装置であって、
第１のチャネル上で第１の信号を受信するように動作することができる、第１の無線アクセス技術に関連付けられる第１の受信機と、
該第１の受信機が前記第１の信号を受信するように動作している間に同時に動作しながら、第２のチャネル上で第２の信号を受信するように動作することができる、第２の無線アクセス技術に関連付けられる第２の受信機と、
前記第１の受信機および前記第２の受信機に動作可能に接続されるマルチモードチャネル選択回路であって、前記第１の受信機および前記第２の受信機によって同時に受信された前記第１の信号および前記第２の信号から得られる第１のセル選択情報および第２のセル選択情報に少なくとも基づいて、キャンプするのに適したチャネルを選択するように動作することができる、マルチモードチャネル選択回路と
を備える、マルチモード無線通信装置。
【請求項８】
セル選択情報解析回路に接続される通信事業者リスト作成回路をさらに備え、該通信事業者リスト作成回路は、前記第１のチャネルに関連付けられる第１の通信事業者が通信事業者リストに追加されるべきであるか否かを判定するように動作することができる、請求項７に記載のマルチモード無線通信装置。
【請求項９】
前記マルチモードチャネル選択回路に接続される通信事業者選択回路をさらに備え、該通信事業者選択回路は、前記通信事業者リスト上の前記通信事業者から、マルチモード無線通信装置のための通信事業者を選択するように動作することができる、請求項８に記載のマルチモード無線通信装置。
【請求項１０】
前記マルチモードチャネル選択回路に接続されるチャネルデータ記憶回路をさらに備え、該チャネルデータ記憶回路は、前記第１の無線アクセス技術が好ましくなく、前記第１のチャネルがキャンプするのに適しているときに、前記第１のチャネルを表すデータを記憶し、
前記マルチモードチャネル選択回路はさらに、前記第２の無線アクセス技術のチャネルがキャンプするのに適していないときに、前記記憶されたデータによって表される前記チャネルにおいてキャンプするように動作することができる、請求項７に記載のマルチモード無線通信装置。
【発明の詳細な説明】
【技術分野】
【０００１】
本発明は一般的には無線通信に関し、特には、少なくとも２つの受信機を有するマルチモード通信装置に関する。
【背景技術】
【０００２】
最近、第３世代およびさらに高度な移動無線通信システムが現われてきたことによって、共通の地域をサービスエリアとする種々の無線アクセス技術を用いる複数の通信システム、たとえばＧＳＭおよびＷ−ＣＤＭＡ通信システムにアクセスすることができる無線通信装置が必要になってきた。
【０００３】
種々の無線アクセス技術を用いる複数の通信システムのサービスを十分に利用するには、マルチモード無線通信装置が、著しく性能が劣化することなく、２つ以上の通信システムにおいて同時に動作し、それらのシステム間を効率的に移行することが要求される。マルチモードおよびマルチバンド無線通信装置が知られているが、これらの現在知られている装置は通常、２つ以上の通信システムに同時にアクセスすることはできない。
【０００４】
無線通信装置が起動されるとき、その装置は最初に、登録（register）して監視すべきチャネルを決定しなければならない。このように、或るチャネルを登録し、そのチャネルを監視する過程は、そのチャネル上でのキャンプする（camping ）と呼ばれる。チャネルでは、たとえば周波数、タイムスロット、コード（たとえばスクランブルコード）あるいは他の適当な通信手段を用いることができる。１つのチャネルでキャンプすることにより、その無線通信装置は、到来する通信およびデータ転送のための呼出を聴取（listen）することができる。キャンプするためのチャネルを見つける過程は一般的に、１つの適当なチャネルが見つかるまで種々のチャネルを順番に聴取することを含む。現在知られている無線通信装置は通常、異なる無線アクセス技術を同時に用いて２つ以上の通信システムにアクセスすることができないので、移動無線通信装置は最初に、１つの通信システムに関連付けられるチャネルを聴取し、その後、別の通信システムに関連付けられるチャネルを聴取しなければならない。このため、キャンプするためのチャネルを特定する過程は非常に時間がかかる可能性がある。
【０００５】
多くの場合に、或る無線通信装置が利用することができる種々の通信システムは、異なる通信事業者によって所有される。たとえば、いくつかの異なる通信事業者がＣＤＭＡ通信システムにおいてサービスを提供し、いくつかの他の通信事業者がＧＳＭ通信システムにおいてサービスを提供している場合がある。異なる通信事業者は、その通信システムを利用するために異なる料金を課金する可能性が高い。それゆえ、無線通信装置は、好ましい通信事業者を選択できることが望ましい。これを果たす１つの方法は、無線通信装置が、利用可能な通信事業者のリストを作成することである。一般的に、これは、利用可能なチャネルを走査し、どの事業者が利用可能であるかを記録することによって行われる。
【発明の開示】
【発明が解決しようとする課題】
【０００６】
現在知られている無線通信装置は、異なる無線アクセス技術を同時に用いて２つ以上の通信システムにアクセスするができないので、移動無線通信装置は最初に、１つの通信システムに関連付けられるチャネルを検出し、その後、別の通信システムに関連付けられるチャネルを検出しなければならない。このため、利用可能な通信事業者のリストを作成する過程は非常に時間がかかる可能性がある。
【課題を解決するための手段】
【０００７】
マルチモード無線通信装置は２つの個別の受信機、すなわち第１の無線アクセス技術に関連付けられる第１の受信機と、第２の無線アクセス技術に関連付けられる第２の受信機とを備える。第１および第２の無線アクセス技術には、たとえばＣＤＭＡおよびＧＳＭを用いることができる。第１の受信機が動作している間に、第２の受信機が同時に動作する。第１の受信機が第１のチャネル上で第１の信号を受信する。その後、無線通信装置は第１の信号から第１のセル選択情報を得る。セル選択情報には、たとえば第１の信号の信号強度、第１のチャネルに関連付けられる通信事業者、第１の信号の品質評価、あるいは第１のチャネルを待ち受けるための利用可能性を用いることができる。第２の信号が第２の受信機によって第２のチャネル上で受信される。無線通信装置は第２の信号から第２のセル選択情報を得る。その後、無線通信装置は、第１および第２のセル選択情報に基づいて、キャンプするのに適したチャネルを選択する。この選択は、たとえば第１および第２の信号の信号強度、第１および第２の信号の品質評価、あるいは第１および第２のチャネルに関連付けられる通信事業者に基づいて行うことができる。
【０００８】
本発明の別の実施形態では、マルチモード無線通信装置が通信事業者情報を得る。通信事業者情報は、たとえば、マルチモード無線通信装置が受信するチャネル上で通信サービスを提供する通信事業者の識別情報を含むことができる。マルチモード無線通信装置は、第１の無線アクセス技術に関連付けられる第１の受信機と、第２の無線アクセス技術に関連付けられる第２の受信機とを備える。第１の信号が、第１のチャネル上で第１の受信機によって受信される。マルチモード無線通信装置は、第１の信号から、第１のチャネルに関連付けられる第１の通信事業者を得る。その後、マルチモード無線通信装置は、第１の通信事業者が通信事業者リストに追加されるべきか否かを判定する。この判定は、たとえば、その通信事業者が既に通信事業者リストにあるか否かを確認することにより行うことができる。第２の受信機は、第１の受信機が動作している間に同時に動作する。第２の受信機は第２のチャネル上で第２の信号を受信する。その際、マルチモード無線通信装置は、第２の信号から第２のチャネルに関連付けられる第２の通信事業者を得る。その後、マルチモード無線通信装置は、第２の通信事業者が通信事業者リストに追加されるべきか否かを判定する。この判定は、たとえば、その第２の通信事業者が既に通信事業者リストにあるか否かを確認することにより行うことができる。
【０００９】
本発明の別の実施形態では、マルチモード無線通信装置が通信事業者を選択する。マルチモード無線通信装置は、第１の無線アクセス技術に関連付けられる第１の受信機と、第２の無線アクセス技術に関連付けられる第２の受信機とを備える。第１の信号が、第１のチャネル上で第１の受信機によって受信される。その際、マルチモード無線通信装置は、第１の信号から、第１のセル選択情報を得る。第１のセル選択情報は、第１のチャネルに関連付けられる第１の通信事業者を含む。第１のセル選択情報から、マルチモード無線通信装置は、第１のチャネルがキャンプするのに適しているか否かを判定する。この判定は、たとえば、第１の信号の信号強度が十分に高いか否か、第１の信号の品質が十分に高いか否か、あるいはキャンプ可能性の指示が、第１のチャネルが待ち受けのために利用できることを示すか否かによって行うことができる。第１のチャネルがキャンプするのに適している場合には、マルチモード無線通信装置は、第１の通信事業者が通信事業者リストに追加されるべきか否かを判定する。この判定は、たとえば、その通信事業者が既に通信事業者リストにあるか否かを確認することにより行うことができる。第２の受信機は、第１の受信機が動作している間に同時に動作する。第２の受信機は第２のチャネル上で第２の信号を受信する。マルチモード無線通信装置は、第２の信号から第２のセル選択情報を得る。第２のセル選択情報は、第２のチャネルに関連付けられる第２の通信事業者を含む。その後、第２のセル選択情報から、マルチモード無線通信装置は、第２のチャネルがキャンプするのに適しているか否かを判定する。この判定は、たとえば、第２の信号の信号強度が十分に高いか否か、第２の信号の品質が十分に高いか否か、あるいはキャンプ可能性
の指示が、第２のチャネルが待ち受けのために利用できることを示すか否かによって行うことができる。第２のチャネルがキャンプするのに適している場合には、マルチモード無線通信装置は、第２の通信事業者が通信事業者リストに追加されるべきか否かを判定する。この判定は、たとえば、その第２の通信事業者が既に通信事業者リストにあるか否かを確認することにより行うことができる。その後、マルチモード無線通信装置は、通信事業者リスト上の通信事業者から１つの通信事業者を選択する。この選択は、たとえば、通信事業者リスト上にホーム通信事業者がある場合には、通信事業者としてホーム通信事業者を選択することによって、あるいは通信事業者リストから優先順位が最も高い通信事業者を選択することによって行うことができる。ホーム通信事業者は一般的に、マルチモード無線通信装置のユーザが加入している通信事業者である。
【００１０】
本発明のさらに別の実施形態では、マルチモード無線通信装置は、第１および第２の受信機に加えて、マルチモードチャネル選択回路をさらに備える。マルチモードチャネル選択回路は、セル選択情報解析回路およびマルチモードチャネル判定回路を備える。セル選択情報解析回路は第１および第２の受信機から第１および第２の信号を受信し、第１および第２の信号から第１および第２のセル選択情報を得るように動作する。マルチモードチャネル判定回路は、少なくとも第１および第２のセル選択情報に基づいて、マルチモード無線通信装置がキャンプするのに適した回路を選択するように動作する。
【００１１】
数ある利点の中でも、本発明によれば、マルチモード無線通信装置は、より迅速にチャネルを選択するか、あるいは通信事業者情報を収集できるようになる。これは、２つの異なる無線アクセス技術を用いて受信機を同時に動作させることにより果たされる。これにより、無線通信装置がチャネルあるいは通信事業者を選択する間に、その装置のユーザが待たなければならない時間を短縮することができる。マルチモード無線通信装置は、より迅速にチャネルを選択するかあるいは通信事業者情報を収集することにより、電池電力を節約することもできる。
【発明を実施するための最良の形態】
【００１２】
図１は、本発明の一実施形態によるマルチモード無線通信装置１００を示す。マルチモード無線通信装置１００として、たとえばセルラー電話、ページャ、双方向ラジオ、無線モデムを備えたコンピュータ、個人情報端末、インターネット機器、データ端末あるいは任意の他の適当な装置を用いることができる。マルチモード無線通信装置１００は、第１および第２のアンテナ１３８、１４０と、第１および第２の送信機１３４、１３６と、第１および第２の受信機１３０、１３２と、インターフェース装置１４２と、プロセッサ１１２と、ディスプレイ１１４と、ユーザ入力装置１１６と、メモリ１７２と、スピーカ１２２と、ビデオ入力装置１２０と、入力／出力データポート１２４と、マイクロフォン１１８と、ＳＩＭカード１４４と、通信事業者リスト１４６とを備える。マルチモード無線通信装置１００の種々の構成要素は、複数のリンク１５４〜１８０によって接続される。リンク１５４〜１８０には、電気信号を伝達するための任意の適当な手段を用いることができる。
【００１３】
第１のアンテナ１３８および第２のアンテナ１４０には、マルチモード無線通信装置１００で信号を送受信するために当該技術分野において知られているような任意の適当なアンテナを用いることができる。第１のアンテナ１３８および第２のアンテナ１４０には一般的に、マルチバンド無線通信装置１００の内部アンテナか、外部アンテナかのいずれかを用いることができる。一実施形態では、第１のアンテナ１３８は内部アンテナであり、第２のアンテナ１４０は外部アンテナである。第１および第２のアンテナ１３８、１４０はインターフェース装置１４２に接続される。インターフェース装置は、第１および第２の送信機１３４、１３６、ならびに第１および第２の受信機１３０、１３２にも接続される。インターフェース装置１４２は、第１のアンテナ１３８と第２のアンテナ１４０との
間、第１の送信機１３４と第２の送信機１３６との間、および第１の受信機１３０と第２の受信機１３２との間で信号をルーティングする。例示的なインターフェース装置１４２は図２に関して後に説明される。
【００１４】
第１の送信機１３４は、第１の無線アクセス技術に関連付けられる信号を送信するように動作する。第２の送信機１３６は、第２の無線アクセス技術に関連付けられる信号を送信するように動作する。無線アクセス技術は、たとえば符号分割多元接続（ＣＤＭＡ）、移動通信用グローバルシステム（ＧＳＭ）、高度移動電話サービス（ＡＭＰＳ）、統合ディスパッチ型高度ネットワーク（Integrated Dispatched Enhanced Network）（ＩＤＥＮ）、他のスペクトル拡散技術、あるいは任意の他の適当な無線アクセス技術を含むことができる。これらの無線アクセス技術の送信機は当該技術分野において知られている。
【００１５】
第１の受信機１３０は第１の無線アクセス技術に関連付けられる信号を受信するように動作する。第２の受信機１３２は第２の無線アクセス技術に関連付けられる信号を受信するように動作する。無線アクセス技術は、たとえば符号分割多元接続（ＣＤＭＡ）、移動通信用グローバルシステム（ＧＳＭ）、高度移動電話サービス（ＡＭＰＳ）、統合ディスパッチ型高度ネットワーク（ＩＤＥＮ）、他のスペクトル拡散技術、あるいは任意の他の適当な無線アクセス技術を含むことができる。これらの無線アクセス技術の受信機は当該技術分野において知られている。
【００１６】
図１の実施形態では、マルチモード無線通信装置１００は、複数の受信機入力Ｒ１、Ｒ２、Ｒ３．．．ＲＮを有する第１の受信機１３０と、複数の受信機入力ＡＲ１、ＡＲ２、ＡＲ３．．．ＡＲＮを有する第２の受信機１３２とを備える。またマルチモード無線通信装置１００は、複数の出力Ｔ１、Ｔ２．．．ＴＮを有する第１の送信機１３４と、複数の出力ＡＴ１、ＡＴ２．．．ＡＴＮを有する第２の送信機１３６とを備える。２つの受信機はそれぞれ対応する送信機を有するが、いくつかの実施形態では、たとえば全地球測位システム（ＧＰＳ）受信機、あるいは緊急位置特定送信機のように、対応する送信機あるいは受信機を持たない、受信機および／または送信機が用いられる場合もある。
【００１７】
本発明では、第１の送信機１３４および第２の送信機１３６は異なる無線アクセス技術に関連付けられる。同様に、第１の受信機１３０および第２の受信機１３２は異なる無線アクセス技術に関連付けられる。第１の受信機１３０および第１の送信機１３４は合わせて、第１のトランシーバを構成する。同様に、第２の受信機１３２および第２の送信機１３６は合わせて、第２のトランシーバを構成する。たとえば、一実施形態では、第１の送信機１３４はＣＤＭＡ送信機であり、第２の送信機１３６はＧＳＭ送信機である。同様に、第１の受信機１３０はＣＤＭＡ受信機であり、第２の受信機１３２はＧＳＭ受信機である。当該技術分野において知られているように、ＧＳＭは時分割多元接続（ＴＤＭＡ）無線アクセス技術である。ＧＳＭでは、周波数を時間のブロックに分割することにより、各周波数（たとえばチャネル）が複数の無線通信装置間で共有される。それゆえ、ＧＳＭ無線通信装置内の各受信機はＧＳＭ信号を連続して受信しない。対照的に、ＣＤＭＡは連続受信モードの無線アクセス技術である。周波数が、複数の無線通信装置間で共有されることになる時間のブロックに分割されないので、無線通信装置内のＣＤＭＡ受信機がＣＤＭＡ信号を受信しているとき、その受信機はその信号を連続して受信する。他の連続受信モードの受信機は、たとえば広帯域ＣＤＭＡ、ＣＤＭＡ２０００、ＡＭＰＳあるいはいくつかの他のスペクトル拡散受信機を含む。
【００１８】
本発明の他の実施形態では、無線通信装置１００は、ＣＤＭＡおよびＧＳＭ以外の他の無線アクセス技術を用いることができる。たとえば、第１の送信機１３４および第１の受信機１３０は広帯域ＣＤＭＡ（Ｗ−ＣＤＭＡ）を用いることができ、一方、第２の受信機１３２および第２の送信機１３６はＣＤＭＡ２０００を用いることができる。別の実施形
態では、第１の送信機１３４および第１の受信機１３０はＡＭＰＳを利用し、一方、第２の受信機１３２および第２の送信機１３６はＧＳＭを利用する。マルチモード無線通信装置１００の送信機および受信機は一般的に、任意の無線アクセス技術を用いることができる。しかしながら、全ての実施形態において、第１の受信機１３０および第２の受信機１３２は異なる無線アクセス技術を有する。
【００１９】
一実施形態では、一方の受信機は連続受信モードの受信機である。連続受信モードの受信機が１つのアンテナに接続され、連続受信モードの受信機であっても、なくてもよい他方の受信機が、別の異なるアンテナに接続される。１つの動作モードでは、連続受信モードの受信機は、他方の受信機が信号を受信するのと同時に信号を受信することができる。一実施形態では、他方の受信機は連続受信モードの受信機、たとえばＣＤＭＡ受信機であるか、あるいは別法では、他方の受信機として、いくつかの他のタイプの受信機、たとえばＴＤＭＡ受信機を用いることができる。
【００２０】
１つの動作モードでは、第１の信号１５０が、連続受信モードにおいて動作している第１のトランシーバの第１の受信機１３０で受信され、第２の信号１５２が、第１の受信機１３０がセル選択を判定するために第１の信号を受信しているのと同時に、第２のトランシーバの第２の受信機１３２で受信される。
【００２１】
関連する受信動作モードでは、第１の信号１５０は、連続受信モードにおいて動作している第１の受信機１３０によって受信されるダウンリンク信号であり、第２の信号は、第１の受信機１３０がダウンリンク信号を受信しているのと同時に、非連続受信モードにおいて動作している第２の受信機１３２によって受信される。１つの応用形態では、マルチモード無線通信装置１００は、ＣＤＭＡおよびＴＤＭＡ通信システムにおいて、たとえばＷ−ＣＤＭＡおよびＧＳＭシステムにおいて動作し、ＣＤＭＡ受信機はダウンリンクを受信し、ＴＤＭＡ受信機は同時に第２の信号を受信する。
【００２２】
別の関連する受信／受信動作モードでは、第１および第２の受信機１３０、１３２の両方が連続モードの受信機、たとえばＣＤＭＡ受信機であり、第１の受信機１３０は第１のダウンリンク信号を受信し、第２の受信機１３２は同時に第２のダウンリンク信号を受信する。
【００２３】
別の動作モード（セル選択が完了した後の、たとえば登録過程中、音声あるいはデータ呼中、あるいは他のセル選択後の通信など）では、第１の信号１５０は、連続受信モードにおいて動作している第１の受信機１３０によって受信され、第２の信号１５２は、第１の受信機１３０が第１の信号１５０を受信しているのと同時に第２の送信機１３６によって送信される。
【００２４】
関連する受信／送信動作モードでは、第１の信号１５０は、連続受信モードにおいて動作している第１の受信機１３０によって受信されるダウンリンク信号であり、第２の信号１５２は、第１の受信機１３０がダウンリンク信号を受信しているのと同時に非連続送信モードにおいて動作している第２の送信機１３６によって送信される。１つの応用形態では、マルチモード無線通信装置１００は、ＣＤＭＡおよびＴＤＭＡ通信システム、たとえばＷ−ＣＤＭＡおよびＧＳＭシステムにおいて動作し、ＣＤＭＡ受信機はダウンリンクを受信し、ＴＤＭＡ送信機は同時に第２の信号１５２を送信する。いくつかの実施形態では、ＴＤＭＡトランシーバは、ＣＤＭＡ受信機がダウンリンク信号を受信するのと同時に、任意の帯域において送信することができるマルチバンドトランシーバである。
【００２５】
別の動作モードでは、第１の信号１５０は、連続送信モードにおいて動作している第１のトランシーバの第１の送信機１３４によって送信され、第２の信号１５２は、第１の送
信機１３４が第１の信号１５０を送信しているのと同時に第２のトランシーバの第２の受信機１３２によって受信される。
【００２６】
関連する送信／受信動作モードでは、アップリンク信号が連続送信モードにおいて動作している第１の送信機１３４によって送信され、第２の信号１５２が、第１の送信機１３４がアップリンクの第１の信号１５０を送信するのと同時に第２の受信機１３２によって受信される。１つの応用形態では、第１の送信機１３４はＣＤＭＡ送信機であり、第２の受信機１３２はＴＤＭＡ受信機であり、たとえば、ＰＣＳおよびＤＣＳ帯域において送受信し、高帯域および低帯域において送信することができるマルチモードＧＳＭトランシーバである。
【００２７】
第１の送信機１３４、第１の受信機１３０、第２の受信機１３２および第２の送信機１３６は全てプロセッサ１１２に接続される。プロセッサ１１２には、マイクロプロセッサ、中央演算装置、デジタルシグナルプロセッサ、状態機械または任意の他の適当なデバイスのような任意の種類の処理デバイスを用いることができる。プロセッサは、リンク１５４〜１７６上で、マルチモード無線通信装置１００の種々の構成要素に対して信号を送受信する。
【００２８】
本発明の一実施形態では、プロセッサ１１２は、マルチモードチャネル選択回路１７４を含む。マルチモードチャネル選択回路１７４は、プロセッサ１１２内に集積される集積回路としてハードウエアで実装されることができるか、あるいは他の実施形態では、プロセッサ１１２とは別個の集積回路にすることができる。別法では、マルチモードチャネル選択回路は、メモリ１７２に記憶され、プロセッサ１１２によって実行されるソフトウエアルーチンとして実装されることができる。マルチモードチャネル選択回路１７４の機能のうちの１つがチャネル選択である。チャネル選択は、マルチモード無線通信装置１００が登録し、監視するためのチャネルを選択する過程である。マルチモード無線通信装置１００は１つのチャネルにおいて登録し、そのチャネルを監視して、呼出、通話、データなどを含む到来信号を受信することができるようにしなければならない。或るチャネルにおいて登録し、監視する過程は、そのチャネルにおいてキャンプすると呼ばれる。
【００２９】
図９は、セル選択情報解析回路９０４と、マルチモードチャネル判定回路９０６と、通信事業者リスト作成回路９１２と、通信事業者選択回路９１０と、チャネルデータ記憶回路９０８とを備えるマルチモードチャネル判定回路１７４の一例を示すブロック図である。マルチモードチャネル判定回路１７４に含まれるこれらの回路はそれぞれ、メモリ１７２に記憶され、１つまたは複数のプロセッサによって実行されるソフトウエアルーチンとして実装されることができる。この例では、プロセッサ１１２が用いられる。別法では、マルチモードチャネル判定回路１７４に含まれるこれらの回路はそれぞれ、マルチモードチャネル判定回路１７４内に集積される回路としてハードウエアで実装されることができる。他の実施形態では、それらの回路はそれぞれ個別の集積回路にすることができる。またそれらの回路は、複数の集積回路内に集合的に構成されることができる。たとえば、通信事業者リスト作成回路９１２および通信事業者選択回路９１０は、１つの集積回路として、プロセッサ１１２とは別個に集合的に構成されることができる。
【００３０】
セル選択情報解析回路９０４は第１の信号１５０および第２の信号１５２を受信する。第１の信号１５０は、第１のアンテナ１３８を介して第１のチャネル上で、第１の無線アクセス技術の第１の受信機１３０によって受信される。第２の信号１５２は、第２のアンテナ１４０を介して第２のチャネル上で、第２の無線アクセス技術の第２の受信機１３２によって受信される。第２の受信機１３２は、第１の受信機１３０が第１の信号１５０を受信するように動作する間に、第２の信号１５２を受信するように同時に動作する。第１および第２の受信機１３０、１３２は、当該技術分野において知られているように、第１
および第２の信号１５０、１５２を復調する。復調された第１および第２の信号１５０、１５２はその後、第１および第２の受信機１３０、１３２によってセル選択情報解析回路９０４に送られる。
【００３１】
セル選択情報解析回路９０４は、第１の信号１５０から第１のセル選択情報９５０を、第２の信号１５２から第２のセル選択情報９５２をそれぞれ得る。第１および第２のセル選択情報９５０、９５２は、たとえば、第１の信号の品質評価、第１のチャネルに関連付けられる通信事業者、キャンプ可能性の指示、第１の信号の信号強度、あるいは任意の他の適当なセル選択情報を含むことができる。品質評価には、当該技術分野において知られているように、たとえばＧＳＭ信号のために一般的に用いられるようなＣ１パラメータ、あるいはＣＤＭＡ信号のために一般的に用いられるようなＳパラメータを用いることができる。Ｃ１およびＳパラメータは受信された信号の品質の測定値である。キャンプ可能性の指示は、そのチャネルがキャンプするために利用できるか否かを示す。或る特定のチャネルは、そのチャネルに関連付けられる通信事業者によって待ち受けに利用できないように指定される場合がある。信号強度（たとえば、受信信号強度指示（ＲＳＳＩ））は、受信された信号の強度の指標であり、当該技術分野においてよく知られている技法を用いて判定されることができる。セル選択情報は、多数の異なる方法で第１および第２の信号から得ることができる。たとえば、信号強度あるいは品質パラメータは、当該技術分野において知られているように、セル選択情報解析回路９０４によって計算されることができる。第１のチャネルに関連付けられる通信事業者あるいはキャンプ可能性の指示は、セル選択情報解析回路９０４が復調された信号からセル選択情報を読み出すことにより得ることができる。
【００３２】
通信事業者リスト作成回路９１２は、セル選択情報解析回路９０４および通信事業者選択回路９１０に接続される。通信事業者リスト作成回路９１２は、第１のチャネルに関連付けられる第１の通信事業者９５６および第２のチャネルに関連付けられる第２の通信事業者９５８を受信する。また通信事業者リスト作成回路９１２は、第１のチャネルおよび第２のチャネルがキャンプするのに適しているか否かに関する指示９３６を、マルチモードチャネル判定回路９０６から受信する。通信事業者リスト作成回路９１２は、第１のチャネルに関連付けられる第１の通信事業者９５６が通信事業者リスト１４６に追加されるべきか否かを判定する。通信事業者リスト作成回路９１２は、第２のチャネルに関連付けられる第２の通信事業者９５６が通信事業者リスト１４６に追加されるべきか否かも判定する。通信事業者を通信事業者リスト１４６に追加するか否かの判定は、たとえば、マルチモードチャネル判定回路９０６から送られる指示を検査し、その通信事業者が関連付けられるチャネルがキャンプするのに適しているか否かを確認することによって行われることができる。そのチャネルがキャンプするのに適している場合には、その通信事業者が既に通信事業者リスト１４６にあるか否かが確認される。その通信事業者が通信事業者リスト１４６にない場合には、通信事業者リスト作成回路９１２は、その通信事業者を通信事業者リスト１４６に追加する。通信事業者リスト１４６は、マルチモード無線通信装置１００がどの通信事業者を利用することができるかを記録する。通信事業者リスト１４６は一般的に、通信事業者リスト作成回路９１２に接続されるメモリ内に存在する。
【００３３】
通信事業者は、無線通信装置に無線通信サービスを提供する企業あるいは団体である。通常、無線通信装置は、複数の通信事業者を利用することができる。複数の利用可能な通信事業者が同じ無線アクセス技術を用いる場合もあれば、それらの通信事業者が異なる無線アクセス技術を用いる場合もある。通信事業者のうちの１つがマルチモード無線通信装置１００のホーム通信事業者の場合もある。ホーム通信事業者は、マルチモード無線通信装置１００のユーザが加入している通信事業者である。一般的に、ホーム通信事業者によって提供される通信サービスは、他の通信事業者によって提供される通信サービスよりも料金が安い。マルチモード無線通信装置１００のユーザは、好ましい通信事業者のリスト
も有することができる。一般的に、好ましい通信事業者によって提供される通信サービスは、他の通信事業者によって提供される通信サービスよりも料金が安い。それゆえ、マルチモード無線通信装置１００は、ホーム通信事業者あるいは好ましい通信事業者のいずれかの通信事業者を選択しようとする。
【００３４】
通信事業者を選択するために、マルチモード無線通信装置１００は、最初にどの通信事業者が利用可能であるかを判定しなければならない。これは、第１の受信機１３０および第２の受信機１３２で利用可能なチャネルを走査し、それらのチャネル上でどの通信事業者が通信サービスを提供しているかを記録することにより達成される。利用可能な通信事業者は、通信事業者リスト１４６に記録される。通信事業者リスト１４６は一般的に、プロセッサ１１２に接続されるメモリに存在する。
【００３５】
通信事業者選択回路９１０は、通信事業者リスト１４６およびマルチモードチャネル判定回路９０６に接続される。通信事業者選択回路９１０は、通信事業者リスト１４６上の通信事業者から、マルチモード無線通信装置１００のための通信事業者を選択する。通信事業者の選択は数多くの異なる方法で行われることができる。たとえば、通信事業者リスト１４６上のこれらの通信事業者のうちの１つがマルチモード無線通信装置１００のためのホーム通信事業者である場合には、通信事業者選択回路９１０はホーム通信事業者を選択することができる。別法では、マルチモード無線通信装置１００は好ましい通信事業者リストを有することもできる。好ましい通信事業者リストは、通信事業者を優先順に記載したものを含む。その際、通信事業者選択回路９１０は、通信事業者リスト１４６において、好ましい通信事業者リスト上の最も優先順位の高い通信事業者を選択する。
【００３６】
マルチモードチャネル判定回路９０６は、セル選択情報解析回路９０４、通信事業者選択回路９１０、チャネルデータ記憶回路９０８、通信事業者リスト作成回路９１２、第１の受信機１３０および第２の受信機１３２に接続される。マルチモードチャネル判定回路９０６は、マルチモード無線通信装置１００がどのチャネルでキャンプすることになるかを選択する。マルチモードチャネル判定回路９０６は、第１および第２の受信機１３０、１３２によって同時に受信された第１および第２の信号から得られた第１および第２のセル選択情報９５０、９５２に少なくとも基づいてキャンプするためのチャネルを選択する。キャンプするためのチャネルを選択する過程の一部として、マルチモードチャネル判定回路９０６は最初に、対応するセル選択情報９５０、９５２に基づいて、各チャネルがキャンプするのに適しているか否かを判定する。信号の品質評価が低すぎる場合、信号強度が低すぎる場合、あるいはキャンプ可能性の指示が、その信号がキャンプするために利用できないことを示す場合には、その信号はキャンプするのに適していない場合がある。その際、マルチモードチャネル判定回路９０６は、指示９３６を通して、通信事業者リスト作成回路９１２に、或る特定のチャネルがキャンプするのに適しているか否かを通知する。一旦、マルチモードチャネル判定回路９０６が、キャンプするためのチャネルを選択したなら、マルチモードチャネル判定回路９０６は、そのチャネル９２２に関連する無線アクセス技術に関連付けられる受信機に、そのチャネルにおいてキャンプすることを通知する。
【００３７】
マルチモードチャネル判定回路９０６は、多数の異なる方法で、キャンプするためのチャネルを選択することができる。たとえば、マルチモード無線通信装置１００は、セル選択情報９５０、９５２に基づいて、チャネルのうちの１つがキャンプするのに適していないことを判定することができる。信号の一方がキャンプするのに適していない場合には、マルチモード無線通信装置１００は、その信号のためのチャネルを選択しない。両方の信号がキャンプするのに適している場合には、マルチモード無線通信装置１００は、たとえばどちらの無線アクセス技術が好ましいかに基づいて、あるいは異なるチャネルに関連付けられる通信事業者のうちのどちらが好ましいかによって、キャンプするのに適したチャ
ネルを選択することができる。たとえば、通信事業者選択回路９１０は、通知９２８を介して、ホーム通信事業者のような、或る特定の所望の通信事業者に関連付けられるチャネルを選択するように、マルチモードチャネル判定回路９０６に指示することができる。その場合、チャネルのうちの１つが所望の通信事業者に関連付けられ、かつキャンプするのに適している場合には、そのチャネルが選択される。別の例として、マルチモード無線通信装置１００は、好ましい通信事業者リストを有することができる。その際、通信事業者選択回路９１０は、好ましい通信事業者リスト上の最も優先順位の高い通信事業者に関連付けられるチャネルを選択するように、マルチモードチャネル判定回路９０６に指示する。図３〜図８の方法は、マルチモードチャネル判定回路９０６がキャンプするためのチャネルを如何にして選択することができるかを、また通信事業者選択回路９１０がマルチモード無線通信装置１００のための通信事業者を如何にして選択するかをさらに詳細に示す。
【００３８】
チャネルデータ記憶回路９０８はマルチモードチャネル判定回路９０６に接続される。チャネルデータ記憶回路９０８は、第１の無線アクセス技術が好ましくないが、第１のチャネルがキャンプするのに適しているときに、第１のチャネルを表すデータを記憶する。別法では、チャネルデータ記憶回路９０８は、第２の無線アクセス技術が好ましくないが、第２のチャネルがキャンプするのに適しているときに、第２のチャネルを表すデータを記憶する。一般的に、マルチモード無線通信装置１００は、好ましい無線アクセス技術を有する。マルチモードチャネル判定回路９０６が種々の受信信号に対してセル選択情報９５０、９５２を検査するとき、所望の通信事業者のためのチャネルがキャンプするのに適しているが、そのチャネルのための無線アクセス技術が好ましい無線アクセス技術ではないことを見いだす場合がある。その場合、チャネルデータ記憶回路９０８は、そのチャネルを表すデータ９２６を記憶する。マルチモードチャネル判定回路９０６が、好ましいアクセス技術に関連付けられるキャンプするのに適したチャネルを特定できない場合には、マルチモードチャネル判定回路９０６は、マルチモード無線通信装置１００に、好ましくない無線アクセス技術を用いて記憶されたデータによって表されるチャネル上でキャンプさせる。
【００３９】
プロセッサ１１２はメモリ１７２に接続される。メモリはプロセッサ１１２内に集積されることができるか、あるいはプロセッサ１１２から分離されることができる。メモリ１７２には、ＲＡＭ、ＲＯＭ、フロッピー（登録商標）ディスク、光ディスク、ＤＶＤ−ＲＯＭ、ＣＤ−ＲＯＭあるいは任意の他の適当なメモリを用いることができる。
【００４０】
プロセッサ１１２はディスプレイ１１４に接続される。そのようなディスプレイには、たとえば、液晶ディスプレイ、発光ダイオードディスプレイ、陰極線管、あるいは任意の他の適当なディスプレイ装置を用いることができる。プロセッサ１１２はスピーカ１２２にも接続される。スピーカ１２２は、可聴音を生成することができる任意の装置である。またプロセッサ１１２はユーザ入力装置１１６にも接続される。ユーザ入力装置１１６には、キーボード、数字キーパッドあるいは何らかの他の適当なユーザ入力装置を用いることができる。またプロセッサ１１２はマイクロフォン１１８にも接続される。マイクロフォン１１８には、当該技術分野において知られているような、音を電気信号に変換するための任意の適当な装置を用いることができる。またプロセッサ１１２はビデオ入力装置１２０にも接続されることができる。そのようなビデオ入力装置１２０には、たとえばカメラを用いることができる。プロセッサ１１２はデータポート１２４にも接続される。データポート１２４は、マルチモード無線通信装置１００が、コンピュータ、データ端末あるいは他の適当な装置などの別の装置に接続されるようにするインターフェースである。データポートは、他の装置に接続するために物理的な接続、赤外線リンク、あるいは無線接続を用いることができる。代替的な実施形態では、マルチモード無線通信装置１００は、ディスプレイ１１４、ユーザ入力装置１１６、スピーカ１２２、ビデオ入力装置１２０、
マイクロフォン１１８あるいはデータポート１２４のうちの１つあるいは複数を含まない場合もあることは理解されよう。他の実施形態では、マルチモード無線通信装置１００は、図１には示されない他の構成要素を有する場合もある。
【００４１】
マルチモード無線通信装置１００は、プロセッサ１１２に接続されるＳＩＭカード１４４も含む。当該技術分野において知られているようなＳＩＭカード１４４は、マルチモード無線通信装置１００のユーザに関係する情報を記憶するためのメモリを内蔵する装置である。そのような情報は、たとえば、マルチモード無線通信装置の電話番号、マルチモード無線通信装置１００のホーム通信事業者、マルチモード無線通信装置１００の好ましい通信事業者のリスト、通信サービスの料金（料金体系）、あるいは他の関連する情報を含むことができる。当該技術分野において知られているように、ＳＩＭカード１４４はマルチモード無線通信装置１００から取外し可能である。これにより、マルチモード無線通信装置１００のユーザはＳＩＭカードを１つの無線通信装置から別の無線通信装置に移動させて、同じ電話番号、通信事業者などの同じ情報を保持することができる。
【００４２】
図２は、マルチモード無線通信装置１００のためのインターフェース装置１４２の例示的な一実施形態を示す。図２では、インターフェース装置１４２は２つのアンテナ１３８、１４０を、第１の受信機１３０および第１の送信機１３４（図１を参照）のような広帯域ＣＤＭＡ受信機および送信機、ならびに第２の受信機１３２および第２の送信機１３６のようなＧＳＭ受信機および送信機のためのポート２３０〜２４２に接続する。この実施形態では、ＧＳＭ受信機は、２つの個別のチャネル帯域上のチャネルを受信することができるマルチバンド受信機である。同様に、ＧＳＭ送信機は、２つの個別のチャネル帯域においてＧＳＭ信号を送信することができるマルチバンド送信機である。広帯域ＣＤＭＡ受信機ポート２３０はシンプレクサ２１２を介して第１のアンテナ１３８に接続される。広帯域ＣＤＭＡシンプレクサは当該技術分野において知られている。第２のアンテナ１４０は、スイッチ２２２によって、広帯域ＣＤＭＡ送信機ポート２３２、ＧＳＭ受信機ポート２３４、ＤＣＳ受信機ポート２３６、ＰＣＳ受信機ポート２３８、ＧＳＭ高帯域送信機ポート２４２およびＧＳＭ低帯域送信機ポート２４０に接続される。広帯域ＣＤＭＡ送信機ポート２３２は第２のシンプレクサ２１６を介してスイッチ２２２に接続される。低帯域ＧＳＭ送信機ポート２４０は、ローパスフィルタ２１８を介してスイッチ２２２に接続される。高帯域ＧＳＭ送信機は第２のローパスフィルタ２２０を介してスイッチに接続される。ローパスフィルタは当該技術分野において知られている。先に述べられたように、ＧＳＭ受信機は、２つの周波数帯において周波数を受信することができるマルチバンドＧＳＭ受信機である。ＧＳＭ受信機は２つの異なる方法を用いてアンテナ１４０に接続されることができる。第１の方法は、ＧＳＭ受信機を、スイッチ２２２を介してアンテナ１４０に接続し、ＧＳＭ受信機ポート２３４において、或る周波数帯が受信されるようにする。別法では、ＧＳＭ受信機は、周波数帯のうちの一方のみにおいて、スイッ２２２を介してアンテナ１４０からの信号を受信することができる。これは、アンテナ１４０からの信号をＤＣＳ受信機ポート２３６あるいはＰＣＳ受信機ポート２３８のいずれかにルーティングする第２のスイッチ２２４を用いることにより果たされる。
【００４３】
図３は、マルチモード無線通信装置１００においてチャネルを選択するための方法を示す流れ図である。この方法は、マルチモード無線通信装置１００が登録し、監視するためのチャネルを特定するために用いることができる。或るチャネルにおいて登録し、そのチャネルを監視するこの過程は、そのチャネルにおいてキャンプすると呼ばれる。この方法は、マルチモード無線通信装置１００が最初に起動されたときに、あるいは以前に待ち受けていたチャネルにおいて信号を受信することがもはやできないときに、マルチモード無線通信装置１００によって用いられることができる。その方法はステップ３０４および３０８で開始し、それらのステップが同時に実行される。ステップ３０４では、第１の信号が、第１の無線アクセス技術に関連付けられる第１の受信機１３０によって、第１のチャ
ネル上で受信される。第１の無線アクセス技術には、たとえばＣＤＭＡ、ＧＳＭ、広帯域ＣＤＭＡ、ＡＭＰＳ、ＩＤＥＮ、ＣＤＭＡ２０００あるいは任意の他の適当な無線アクセス技術を用いることができる。
【００４４】
ステップ３０６では、マルチモード無線通信装置１００が第１の信号から第１のセル選択情報を得る。セル選択情報は、たとえば第１の信号の品質評価、第１のチャネルに関連付けられる通信事業者、キャンプ可能性の指示、第１の信号の信号強度、あるいは任意の他の適当なセル選択情報を含むことができる。品質評価には、たとえばＧＳＭ信号のために一般的に用いられるようなＣ１パラメータ、あるいはＣＤＭＡ信号のために一般的に用いられるようなＳパラメータを用いることができる。Ｃ１およびＳパラメータは受信された信号の品質の測定値である。キャンプ可能性の指示は、そのチャネルがキャンプするために利用できるか否かを示す。或る特定のチャネルは、そのチャネルに関連付けられる通信事業者によってキャンプできないように指定される場合がある。信号強度は、当該技術分野においてよく知られているような受信された信号の強度の指標である。第１のセル選択情報は、多数の異なる方法で第１の信号から得ることができる。たとえば、信号強度あるいは品質パラメータは、当該技術分野において知られているように、第１の受信機１３０によって、あるいはセル選択情報解析回路９０４によって計算されることができる。第１のチャネルに関連付けられる通信事業者あるいはキャンプ可能性の指示は、第１の受信機１３０が第１の信号を復調し、セル選択情報解析回路９０４が復調された信号からセル選択情報を読み出すことにより得ることができる。
【００４５】
ステップ３０８では、第２の信号が、第１の受信機１３０が動作している間に同時に動作している、第２の無線アクセス技術に関連付けられる第２の受信機１３２によって受信される。第２の無線アクセス技術には、たとえばＧＳＭ、ＣＤＭＡ、広帯域ＣＤＭＡ、ＣＤＭＡ２０００、ＡＭＰＳ、ＩＤＥＮあるいは任意の他の適当な無線アクセス技術を用いることができる。しかしながら、第１の無線アクセス技術および第２の無線アクセス技術は異なる無線アクセス技術であることに留意されたい。ステップ３１０では、マルチモード無線通信装置１００が、第２の信号から第２のセル選択情報を得る。第２のセル選択情報は、信号の品質評価、第２のチャネルに関連付けられる通信事業者、キャンプ可能性の指示、および第２の信号の信号強度を含むことができる。第２のセル選択情報は、多数の異なる方法で第２の信号から得ることができる。たとえば、信号強度あるいは品質パラメータは、当該技術分野において知られているように、第２の受信機１３２によって、あるいはプロセッサ１１２によって計算されることができる。第２のチャネルに関連付けられる通信事業者あるいはキャンプ可能性の指示は、第２の受信機１３２が第１の信号を復調し、プロセッサが復調された信号からセル選択情報を読み出すことにより得ることができる。
【００４６】
ステップ３０６および３１０の後に、ステップ３１２では、マルチモード無線通信装置１００が、第１および第２のセル選択情報に少なくとも基づいて、キャンプするのに適したチャネルを選択する。一般的に、チャネル選択は、マルチモードチャネル判定回路９０６によって行われるであろう。チャネル選択は多数の異なる方法で行われることができる。たとえば、マルチモード無線通信装置１００は、セル選択情報に基づいて、チャネルのうちの１つがキャンプするのに適していないものと判定することができる。信号の品質評価が低すぎる場合、信号強度が低すぎる場合、あるいはキャンプ可能性の指示が、その信号がキャンプするために利用できないことを示す場合には、その信号はキャンプするのに適していない場合がある。信号の一方がキャンプするのに適していない場合には、マルチモード無線通信装置１００は他方の信号を選択する。
【００４７】
両方の信号がキャンプするのに適している場合には、マルチモード無線通信装置１００は、たとえば、無線アクセス技術のうちのどちらが好ましいかに基づいて、あるいは異な
るチャネルに関連付けられる通信事業者のうちのどちらが好ましいかによって、キャンプするのに適したチャネルを選択することができる。たとえば、ホーム通信事業者が、他の通信事業者よりも好ましい場合がある。その場合に、チャネルのうちの１つがホーム通信事業者に関連付けられ、かつキャンプするのに適している場合には、そのチャネルが選択される。別の例として、マルチモード無線通信装置１００は、好ましい通信事業者リストを有することができる。好ましい通信事業者リストは、優先順に多数の異なる通信事業者を記載する。マルチモード無線通信装置１００は、好ましい通信事業者リスト上で最も優先順位の高い通信事業者を選択する。
【００４８】
図４は、マルチモード無線通信装置１００において通信事業者情報を得るための方法を示す流れ図である。通信事業者情報は、１つのチャネルに関連付けられる通信事業者の識別情報を含む。通信事業者は、或るチャネル上で通信サービスを提供するときに、そのチャネルに関連付けられる。その方法はステップ４０４および４１０で同時に開始する。ステップ４０４では、第１の信号１５０が、第１の無線アクセス技術に関連付けられる第１の受信機１３０によって、第１のチャネル上で受信される。第１の無線アクセス技術には、たとえばＣＤＭＡ、ＧＳＭ、広帯域ＣＤＭＡ、ＣＤＭＡ２０００、ＡＭＰＳ、ＩＤＥＮあるいは任意の他の適当な無線アクセス技術を用いることができる。その際、ステップ４０６では、マルチモード無線通信装置１００のセル選択情報解析回路９０４が、第１の信号から、第１のチャネルに関連付けられる第１の通信事業者を得る。第１のチャネルに関連付けられる第１の通信事業者は、多数の異なる方法でマルチモード通信装置１００によって得られることができる。第１の受信機１３０は、当該技術分野において知られているように、受信された第１の信号１５０を復調し、その復調された信号から第１の通信事業者を読み出すことにより、第１の通信事業者を得ることができる。その際、第１の受信機１３０は、第１の通信事業者を、セル選択情報解析回路９０４に送るであろう。第１の通信事業者は、セル選択情報解析回路９０４が第１の受信機１３０から復調された第１の信号１５０を受信し、復調された信号から第１の通信事業者を読み出すことにより得られることもできる。
【００４９】
ステップ４０８では、マルチモード無線通信装置１００の通信事業者リスト作成回路９１２が、第１の通信事業者が通信事業者リスト１４６に追加されるべきか否かを判定する。通信事業者リスト１４６は、マルチモード無線通信装置１００が１つの通信事業者を選択することができる、利用可能な通信事業者を記載する。通信事業者リスト１４６は、チャネルと、各チャネルに関連付けられる無線アクセス技術と、各チャネルに関連付けられる通信事業者とのリストを含む。通信事業者リスト作成回路９１２は、多数の方法で、第１の通信事業者を通信事業者リストに追加するか否かを判定することができる。たとえば、第１の通信事業者が通信事業者リスト１４６にまだ存在しない場合には、通信事業者リスト１４６に追加されることができる。それゆえ、通信事業者が通信事業者リスト１４６にまだ存在しない場合には、通信事業者リスト１４６に追加される。通信事業者リスト作成回路９１２は、その通信事業者が関連付けられるチャネルがキャンプするのに適していない場合には、その通信事業者を通信事業者リスト１４６に追加しないことに留意されたい。
【００５０】
ステップ４１０では、第２の信号が、第１の受信機１３０が動作している間に同時に動作している、第２の無線アクセス技術に関連付けられる第２の受信機１３２によって、第２のチャネル上で受信される。第２の無線アクセス技術には、たとえばＣＤＭＡ、ＧＳＭ、ＣＤＭＡ２０００、広帯域ＣＤＭＡ、ＡＭＰＳ、ＩＤＥＮあるいは任意の他の適当な無線アクセス技術を用いることができる。しかしながら、第１の無線アクセス技術および第２の無線アクセス技術は異なる無線アクセス技術であることに留意されたい。ステップ４１２では、マルチモード無線通信装置１００が、第２の信号から、第２のチャネルに関連付けられる第２の通信事業者を得る。マルチモード無線通信装置のセル選択情報解析回路
９０４が、第１の通信事業者が得られたのと概ね同じようにして第２の通信事業者を得ることができる。
【００５１】
ステップ４１４では、マルチモード無線通信装置１００の通信事業者リスト作成回路９１２が、第２の通信事業者が通信事業者リスト１４６に追加されるべきか否かを判定する。マルチモード無線通信装置１００は、多数の方法で、第２の通信事業者を通信事業者リスト１４６に追加するか否かを判定することができる。たとえば、第２の通信事業者が通信事業者リスト１４６にまだ存在しない場合には、通信事業者リスト１４６に追加されることができる。それゆえ、通信事業者が通信事業者リスト１４６にまだ存在しない場合には、通信事業者リスト１４６に追加される。通信事業者リスト作成回路９１２は、その通信事業者が関連付けられるチャネルがキャンプするのに適していない場合には、その通信事業者を通信事業者リスト１４６に追加しないことに留意されたい。
【００５２】
図５は、マルチモード無線通信装置１００において通信事業者情報を選択するための方法を示す流れ図である。その方法は、同時に実行されるステップ５０４および５１２で開始する。ステップ５０４では、第１の信号１５０が、第１の無線アクセス技術に関連付けられる第１の受信機１３０によって、第１のチャネル上で受信される。第１の無線アクセス技術には、たとえばＣＤＭＡ、ＧＳＭ、広帯域ＣＤＭＡ、ＣＤＭＡ２０００、ＡＭＰＳ、ＩＤＥＮあるいは任意の他の適当な無線アクセス技術を用いることができる。ステップ５０６では、マルチモード無線通信装置１００のセル選択情報解析回路９０４が、第１の信号から第１のセル選択情報９５０を得る。第１のセル選択情報は、第１のチャネルに関連付けられる第１の通信事業者９５６を含む。第１のチャネルに関連付けられる第１の通信事業者は、多数の異なる方法でマルチモード通信装置１００によって得られることができる。第１の受信機１３０は、当該技術分野において知られているように、受信された第１の信号を復調し、その復調された信号から第１の通信事業者９５６を読み出すことにより、第１の通信事業者９５６を得ることができる。その際、第１の受信機１３０は、第１の通信事業者９５６を、セル選択情報解析回路９０４に送るであろう。第１の通信事業者９５６は、セル選択情報解析回路９０４が第１の受信機１３０から第１の信号を受信し、当該技術分野において知られているように第１の信号１５０を復調し、復調された信号から第１の通信事業者９５６を読み出すことにより得られることもできる。
【００５３】
ステップ５０８では、マルチモード無線通信装置１００が、第１のチャネルがキャンプするのに適しているか否かを判定する。この判定は多数の異なる方法で行われることができる。たとえば、第１のチャネルは、第１の信号１５０の信号強度が十分に強い場合に、あるいは第１の信号１５０の品質評価が十分に高い場合に、あるいはキャンプ可能性の指示が、第１のチャネルがキャンプするために利用できることを示す場合に、あるいは任意の他の適当な方法によって、キャンプするのに適していると見なされることができる。ステップ５１０では、第１のチャネルがキャンプするのに適している場合には、マルチモード無線通信装置１００の通信事業者リスト作成回路９１２が、第１の通信事業者９５６が通信事業者リスト１４６に追加されるべきか否かを判定する。この判定は、たとえば、第１の通信事業者が通信事業者リスト１４６にまだ存在しないか否かによって行うことができる。その際、第１の通信事業者９５６が通信事業者リスト１４６にまだ存在しない場合には、通信事業者リスト１４６に追加される。
【００５４】
ステップ５１２では、第２の信号１５２が、第２の無線アクセス技術に関連付けられる第２の受信機１３２によって、第２のチャネル上で受信される。第２の無線アクセス技術には、たとえばＣＤＭＡ、ＧＳＭ、広帯域ＣＤＭＡ、ＣＤＭＡ２０００、ＡＭＰＳ、ＩＤＥＮあるいは任意の他の適当な無線アクセス技術を用いることができる。その際、ステップ５１４では、マルチモード無線通信装置１００のセル選択情報解析回路９０４が、第２の信号１５２から第２のセル選択情報９５２を得る。第２のセル選択情報９５２は、第２
のチャネルに関連付けられる第２の通信事業者９５８を含む。第２のチャネルに関連付けられる第２の通信事業者９５８は、多数の異なる方法でマルチモード通信装置１００によって得られることができる。第２の受信機１３２は、当該技術分野において知られているように、受信された第２の信号を復調し、その復調された信号から第２の通信事業者を読み出すことにより、第２の通信事業者を得ることができる。その際、第２の受信機１３２は、第２の通信事業者を、セル選択情報解析回路９０４に送るであろう。第２の通信事業者は、セル選択情報解析回路９０４が第２の受信機１３２から復調された第２の信号１５２を受信し、当該技術分野において知られているように第２の信号を復調し、復調された信号から第２の通信事業者９５８を読み出すことにより得られることもできる。
【００５５】
ステップ５１６では、マルチモード無線通信装置１００のマルチモードチャネル判定回路９０６が、第２のチャネルがキャンプするのに適しているか否かを判定する。この判定は多数の異なる方法で行われることができる。たとえば、第２のチャネルは、第１の信号の信号強度が十分に強い場合に、あるいは第２の信号の品質評価が十分に高い場合に、あるいはキャンプ可能性の指示が、第２のチャネルがキャンプするために利用できることを示す場合に、あるいは任意の他の適当な方法によって、キャンプするのに適していると見なされることができる。ステップ５１８では、第２のチャネルがキャンプするのに適している場合には、マルチモード無線通信装置１００の通信事業者リスト作成回路９１２が、第２の通信事業者９５８が通信事業者リスト１４６に追加されるべきか否かを判定する。この判定は、たとえば、第２の通信事業者９５８が通信事業者リスト１４６にまだ存在しないか否かによって行うことができる。
【００５６】
ステップ５２０では、マルチモード無線通信装置１００の通信事業者選択回路９１０が、通信事業者リスト１４６上の通信事業者から１つの通信事業者を選択する。この選択は多数の異なる方法で行われることができる。たとえば、マルチモード無線通信装置１００はホーム通信事業者を選択することができる。ホーム通信事業者は、マルチモード無線通信装置１００のユーザが加入している通信事業者である。マルチモード無線通信装置１００は、ホーム通信事業者が通信事業者リスト１４６にある場合には、マルチモード無線通信装置１００の通信事業者としてホーム通信事業者を選択することができる。マルチモード無線通信装置１００は好ましい通信事業者リストを有することもできる。好ましい通信事業者リストは、多数の異なる通信事業者を優先順に記載する。その際、マルチモード無線通信装置１００は、通信事業者リスト１４６から、好ましい通信事業者リスト上で最も優先順位の高い通信事業者を選択することができる。
【００５７】
図６〜図７は、マルチモード無線通信装置１００においてチャネルを選択するための方法を示す流れ図である。その方法は、同時に実行される図６のステップ６０４および図７のステップ７０４で開始する。ステップ６０４では、第１の無線アクセス技術に関連付けられる第１の受信機１３０が、或るチャネルにおいて信号を受信する。第１の無線アクセス技術には、たとえばＣＤＭＡ、ＧＳＭ、広帯域ＣＤＭＡ、ＣＤＭＡ２０００、ＡＭＰＳ、ＩＤＥＮあるいは任意の他の適当な無線アクセス技術を用いることができる。ステップ６０６では、マルチモード無線通信装置１００が、その信号からセル選択情報を得る。セル選択情報は、たとえば第１の信号の品質評価、第１のチャネルに関連付けられる通信事業者、キャンプ可能性の指示、第１の信号の信号強度、あるいは任意の他の適当なセル選択情報を含むことができる。品質評価には、たとえばＧＳＭ信号のために一般的に用いられるようなＣ１パラメータ、あるいはＣＤＭＡ信号のために一般的に用いられるようなＳパラメータを用いることができる。Ｃ１およびＳパラメータは受信された信号の品質の測定値である。キャンプ可能性の指示は、そのチャネルがキャンプするために利用できるか否かを示す。或る特定のチャネルは、そのチャネルに関連付けられる通信事業者によって待ち受けに利用できないように指定される場合がある。信号強度は、当該技術分野においてよく知られているような受信された信号の強度の指標である。セル選択情報は、多数の
異なる方法で信号から得ることができる。たとえば、信号強度あるいは品質パラメータは、当該技術分野において知られているように、第１の受信機１３０によって、あるいはセル選択情報解析回路９０４によって計算されることができる。第１のチャネルに関連付けられる通信事業者あるいはキャンプ可能性の指示は、第１の受信機１３０が第１の信号１５０を復調し、セル選択情報解析回路９０４が復調された信号からセル選択情報を読み出すことにより得ることができる。
【００５８】
ステップ６０８では、マルチモード無線通信装置１００のマルチモードチャネル判定回路９０６が、そのチャネルがキャンプするのに適しているか否かを判定する。この判定は、たとえば受信された信号の品質評価、セル選択情報のキャンプ可能性の指示、またはこの信号の信号強度に基づいて、あるいは任意の他の適当な方法を用いて行われることができる。そのチャネルがキャンプするのに適している場合には、ステップ６１０において、マルチモード無線通信装置１００のマルチモードチャネル判定回路９０６が、そのチャネルに関連付けられる通信事業者が所望の通信事業者であるか否かを判定する。所望の通信事業者には、たとえば、マルチモード無線通信装置１００のホーム通信事業者を用いることができるか、あるいはマルチモード無線通信装置１００に最後に通信サービスを提供した通信事業者を用いることができる。
【００５９】
そのチャネルに関連付けられる通信事業者が所望の通信事業者でない場合には、ステップ６２４において、マルチモード無線通信装置１００の通信事業者リスト作成回路９１２が、そのチャネルに関連付けられる通信事業者で通信事業者リスト１４６を更新するか否かを判定する。この判定は、たとえば、そのチャネルに関連付けられる通信事業者が既に通信事業者リスト１４６にあるか否かを確認することによって行われることができる。その際、その通信事業者が通信事業者リスト１４６にまだ存在しない場合には、通信事業者リスト１４６に追加される。ステップ６２６では、通信事業者リスト作成回路９１２が、その通信事業者が通信事業者リスト１４６に追加されるべきであると判定した場合には、そのチャネルに関連付けられる通信事業者が通信事業者リスト１４６に追加される。
【００６０】
通信事業者が通信事業者リスト１４６に追加されるべきか否かにかかわらず、ステップ６２０では、マルチモード無線通信装置１００は、第１の受信機１３０によって検査すべきチャネルが他にあるか否かを判定する。一般的に、マルチモード無線通信装置１００には、どのチャネルがキャンプするために用いることができるかが分かっているであろう。これは、通信サービスのために割り当てられるチャネル帯が通常、政府当局によって割り当てられており、周知されていることによる。さらに、マルチモード無線通信装置１００は、電力レベルの初期の検査を行うことにより、走査すべきチャネルの範囲を限定しようとする。たとえば、マルチモード無線通信装置１００は最初に、利用することができるチャネルにおいて電力レベルを測定し、その後、十分な電力を有するチャネルにおいてのみ信号を受信しようとすることができる。検査すべきチャネルが他にある場合には、マルチモード無線通信装置１００は、ステップ６２２において、第１の受信機１３０を別のチャネルに変更する。
【００６１】
ステップ６１０では、そのチャネルに関連付けられる通信事業者が所望の通信事業者である場合には、ステップ６１２において、マルチモード無線通信装置１００のマルチモードチャネル判定回路９０６が、第１の無線アクセス技術が好ましい無線アクセス技術であるか否かを判定する。無線アクセス技術が好ましいか否かは、たとえば、マルチモード無線通信装置１００のユーザの選択、マルチモード無線通信装置１００のホーム通信事業者の選択、あるいは種々の無線アクセス技術に関する通信サービスの推定される料金によることができる。第１の無線アクセス技術が好ましい無線アクセス技術である場合には、ステップ６１４において、マルチモード無線通信装置１００がそのチャネルでキャンプする。ステップ６１６では、マルチモード無線通信装置１００が、第１および第２の受信機１
３０、１３２によって受信される信号から得られるセル選択情報９５０、９５２の処理を中止する。処理を中止することは、たとえば、第１および第２の受信機１３０、１３２をオフにするか、あるいはプロセッサ１１２が第１および第２の受信機１３０、１３２から受信されるさらに別の情報を処理するのを止めることからなることができる。
【００６２】
第１の無線アクセス技術が好ましい無線アクセス技術でない場合には、ステップ６２８において、マルチモード無線通信装置が、そのチャネルを表すデータを、チャネルデータ記憶回路９０８に記憶する。ステップ６３０では、マルチモード無線通信装置が、第１の受信機１３０によって受信される信号から得られるセル選択情報を処理するのを中止する。この処理の中止は、たとえば、第１の受信機１３０をオフにするか、あるいはセル選択情報プロセッサ回路９０４が第１の受信機１３０から受信されるさらに別の情報を処理するのを止めることによって達成されることができる。
【００６３】
ステップ６３２では、マルチモード無線通信装置１００が、第２の受信機１３２によって検査すべきチャネルが他にあるか否かを判定する。第２の受信機１３２によって検査すべきチャネルが他にある場合には、マルチモード無線通信装置１００は、全ての他のチャネルが第２の受信機１３２によって検査されるまで待機する。一旦、チャネルが第２の受信機１３２によって検査されたなら、ステップ６３４において、マルチモード無線通信装置１００のマルチモードチャネル判定回路９０６が、第２の受信機がキャンプするのに適したチャネルを見つけたか否かを判定する。ステップ６３６では、第２の受信機がキャンプするのに適したチャネルを見つけなかった場合には、マルチモード無線通信装置１００は、記憶されたデータによって表されるチャネルにおいてキャンプする。
【００６４】
ステップ６２０において、第１の受信機１３０によって検査すべきチャネルが他になかった場合には、ステップ６４０において、マルチモード無線通信装置１００は、第１の受信機１３０によって受信される信号から得られるセル選択情報の処理を中止する。処理の中止は、たとえば、第１の受信機１３０をオフすることによって、あるいはプロセッサ１１２が第１の受信機１３０から受信された情報を処理するのを止めることによって達成されることができる。ステップ６４２では、マルチモード無線通信装置１００が、第２の受信機１３２によって検査すべきチャネルが他にあるか否かを判定する。
【００６５】
図６〜図７の方法は、使用可能な全てのチャネルが第１の受信機１３０および第２の受信機１３２によって検査された後にのみステップ６４４に到達する。ステップ６４４では、マルチモード無線通信装置１００の通信事業者選択回路９１０が、通信事業者リスト１４６から１つの通信事業者を選択する。この選択は、多数の異なる方法で行われることができる。たとえば、通信事業者リスト１４６上の通信事業者のうちの１つがマルチモード無線通信装置１００のためのホーム通信事業者である場合には、通信事業者選択回路９１０はホーム通信事業者を選択することができる。別法では、マルチモード無線通信装置１００は、好ましい通信事業者リストを有することができる。好ましい通信事業者リストは、通信事業者を優先順に記載したものを含む。その際、通信事業者選択回路９１０は、好ましい通信事業者リスト上で最も優先順位が高い、通信事業者リスト１４６上の通信事業者を選択する。その後、ステップ６４６では、マルチモード無線通信装置１００が、選択された通信事業者に関連付けられるチャネルにおいてキャンプする。
【００６６】
図７の流れ図の部分に移ると、ステップ７０４では、第１の受信機１３０が同時に動作している間に、第２の無線アクセス技術に関連付けられる第２の受信機１３２が、或るチャネルにおいて信号を受信する。第２の無線アクセス技術には、たとえばＣＤＭＡ、ＧＳＭ、広帯域ＣＤＭＡ、ＣＤＭＡ２０００、ＡＭＰＳ、ＩＤＥＮあるいは任意の他の適当な無線アクセス技術を用いることができる。ステップ７０８では、マルチモード無線通信装置１００のマルチモードチャネル判定回路９０６が、そのチャネルがキャンプするのに適
しているか否かを判定する。この判定は、たとえば受信された信号の品質評価、セル選択情報のキャンプ可能性の指示、またはこの信号の信号強度に基づいて、あるいは任意の他の適当な方法を用いて行われることができる。そのチャネルがキャンプするのに適している場合には、ステップ７１０において、マルチモードチャネル判定回路９０６が、そのチャネルに関連付けられる通信事業者が所望の通信事業者であるか否かを判定する。所望の通信事業者には、たとえば、マルチモード無線通信装置１００のホーム通信事業者を用いることができるか、あるいはマルチモード無線通信装置１００に最後に通信サービスを提供した通信事業者を用いることができる。
【００６７】
そのチャネルに関連付けられる通信事業者が所望の通信事業者でない場合には、ステップ７２４において、通信事業者作成回路９１２が、そのチャネルに関連付けられる通信事業者で通信事業者リスト１４６を更新するか否かを判定する。この判定は、たとえば、そのチャネルに関連付けられる通信事業者が既に通信事業者リスト１４６にあるか否かを確認することによって行われることができる。その際、その通信事業者が通信事業者リスト１４６にまだ存在しない場合には、通信事業者リスト１４６に追加される。ステップ７２６では、通信事業者作成回路９１２が、その通信事業者が通信事業者リスト１４６に追加されるべきであると判定した場合には、そのチャネルに関連付けられる通信事業者が通信事業者リストに追加される。
【００６８】
通信事業者が通信事業者リスト１４６に追加されるべきか否かにかかわらず、ステップ７２０では、マルチモード無線通信装置１００は、第２の受信機１３２によって検査すべきチャネルが他にあるか否かを判定する。検査すべきチャネルが他にある場合には、マルチモード無線通信装置１００は、ステップ７２２において、第２の受信機１３２を別のチャネルに変更する。
【００６９】
ステップ７１０では、そのチャネルに関連付けられる通信事業者が所望の通信事業者である場合には、ステップ７１２において、マルチモードチャネル判定回路９０６が、第２の無線アクセス技術が好ましい無線アクセス技術であるか否かを判定する。無線アクセス技術が好ましいか否かは、たとえば、マルチモード無線通信装置１００のユーザの選択、マルチモード無線通信装置１００のホーム通信事業者の選択、あるいは種々の無線アクセス技術に関する通信サービスの推定される料金によることができる。第２の無線アクセス技術が好ましい無線アクセス技術である場合には、ステップ７１４において、マルチモード無線通信装置１００がそのチャネルでキャンプする。ステップ７１６では、マルチモード無線通信装置１００が、第１および第２の受信機１３０、１３２によって受信される信号から得られるセル選択情報の処理を中止する。処理を中止することは、たとえば、第１および第２の受信機１３０、１３２をオフにするか、あるいはプロセッサ１１２が第１および第２の受信機１３０、１３２から受信されるさらに別の情報を処理するのを止めることからなることができる。
【００７０】
第２の無線アクセス技術が好ましい無線アクセス技術でない場合には、ステップ７２８において、マルチモード無線通信装置が、そのチャネルを表すデータを、チャネルデータ記憶回路９０８に記憶する。ステップ７３０では、マルチモード無線通信装置が、第２の受信機１３２によって受信される信号から得られるセル選択情報を処理するのを中止する。この処理の中止は、たとえば、第２の受信機１３２をオフにするか、あるいはプロセッサ１１２が第２の受信機１３２から受信されるさらに別の情報を処理するのを止めることによって達成されることができる。
【００７１】
ステップ７３２では、マルチモード無線通信装置１００が、第１の受信機１３０によって検査すべきチャネルが他にあるか否かを判定する。第１の受信機１３０によって検査すべきチャネルが他にある場合には、マルチモード無線通信装置１００は、全ての他のチャ
ネルが第１の受信機１３０によって検査されるまで待機する。一旦、チャネルが第１の受信機１３０によって検査されたなら、ステップ７３４において、マルチモード無線通信装置１００が、第１の受信機がキャンプするのに適したチャネルを見つけたか否かを判定する。ステップ７３６では、第１の受信機１３０がキャンプするのに適したチャネルを見つけなかった場合には、マルチモード無線通信装置１００は、記憶されたデータによって表されるチャネルにおいてキャンプする。
【００７２】
ステップ７２０において、第２の受信機１３２によって検査すべきチャネルが他になかった場合には、ステップ７４０において、マルチモード無線通信装置は、第２の受信機１３０によって受信される信号から得られるセル選択情報の処理を中止する。処理の中止は、たとえば、第２の受信機１３２をオフすることによって、あるいはセル選択情報解析回路９０４が第２の受信機１３２から受信された情報を処理するのを止めることによって達成されることができる。
【００７３】
図８は、マルチモード無線通信装置１００において通信事業者情報を得るための方法を示す流れ図である。ステップ８０４では、利用可能な通信事業者の走査が開始される。この走査は多数の異なる方法で開始されることができ、そのうちの２つがステップ８０６および８０８に示される。ステップ８０６では、マルチモード無線通信装置１００が、ホーム通信事業者でない通信事業者において待ち受けているときに、タイマ（図示せず）に応答して利用可能な通信事業者のための走査を開始する。ホーム通信事業者は他の通信事業者よりも低い料金で通信サービスを提供する可能性が高いので、ホーム通信事業者に関連付けられるチャネルにおいてキャンプすることが可能であればそうすることが望ましい。マルチモード無線通信装置１００がホーム通信事業者に関連付けられるチャネルで待ち受けていないとき、マルチモード無線通信装置１００は、ホーム通信事業者に関連付けられるチャネルを特定するために、定期的に探索を開始する。利用可能な通信事業者を次に走査するまでにマルチモード無線通信装置１００が待つ時間は、タイマ（図示せず）によって決定される。タイマは、ＳＩＭカード１４４において指定される時間に設定されることができるか、あるいはタイマはデフォルトの時間に設定されることができるか、あるいはいくつかの他の適当な時間が用いられる場合がある。
【００７４】
代替的な実施形態では、ステップ８０８において、マルチモード無線通信装置１００が、マルチモード無線通信装置１００のユーザからの要求に応答して、利用可能な通信事業者のための走査を開始する。マルチモード無線通信装置１００のユーザは、マルチモード無線通信装置１００に現在通信サービスを提供している通信事業者が、たとえば料金などの何らかの理由から望ましくないことを理解することができる。その場合に、マルチモード無線通信装置１００のユーザは、他の通信事業者を特定するための走査を開始することができる。
【００７５】
その後、その方法はステップ８１０および８２４に進み、それらのステップはマルチモード無線通信装置１００によって同時に実行される。ステップ８１０では、第１の無線アクセス技術に関連付けられる第１の受信機１３０が、１つのチャネル上で信号を受信する。第１の無線アクセス技術には、たとえばＧＳＭ、ＣＤＭＡ、広帯域ＣＤＭＡ、ＣＤＭＡ２０００、ＡＭＰＳ、ＩＤＥＮあるいは任意の他の適当な無線アクセス技術を用いることができる。その後、ステップ８１２では、マルチモード無線通信装置１００のセル選択情報解析回路９０４が、第１の信号から、そのチャネルに関連付けられる通信事業者を得る。第１のチャネルに関連付けられる通信事業者は、多数の異なる方法で、マルチモード通信装置１００によって得られることができる。第１の受信機１３０は、当該技術分野において知られているように、受信された第１の信号を復調し、復調された信号から通信事業者を読み出すことにより通信事業者を得ることができる。その際、第１の受信機１３０は、その通信事業者を、セル選択情報解析回路９０４に送るであろう。通信事業者は、セル
選択情報解析回路９０４が第１の受信機１３０から復調された信号を受信し、当該技術分野において知られているようにその信号を復調し、復調された信号から通信事業者を読み出すことによっても得られることができる。
【００７６】
ステップ８１４では、マルチモード無線通信装置１００の通信事業者リスト作成回路９１２が、そのチャネルに関連付けられる通信事業者が通信事業者リスト１４６に追加されるべきか否かを判定する。この判定は、たとえば、その通信事業者が通信事業者リスト１４６に既にあるか否かを確認することによって行われることができる。その後、その通信事業者が通信事業者リスト１４６にまだ存在しない場合には、通信事業者リスト１４６に追加される。ステップ８１６では、通信事業者が通信事業者リスト１４６に追加されるべきと判定された場合には、通信事業者リスト作成回路９１２が通信事業者を通信事業者リスト１４６に追加する。ステップ８１８では、マルチモードチャネル判定回路９０６が、その通信事業者がマルチモード無線通信装置１００のためのホーム通信事業者であるか否かを判定する。その通信事業者がホーム通信事業者ではない場合には、ステップ８２０において、マルチモード無線通信装置１００が、第１の受信機１３０によって他に検査されるべきチャネルがあるか否かを判定する。他に検査すべきチャネルがある場合には、その後、ステップ８２２において、マルチモード無線通信装置１００が第１の受信機１３０を別のチャネルに変更する。
【００７７】
ステップ８１８では、走査がユーザによって開始されない場合で、かつ通信事業者がマルチモード無線通信装置１００のためのホーム通信事業者であった場合には、ステップ８４０において、マルチモード無線通信装置１００は第１および第２の信号の処理を中止する。これは、第１および第２の受信機１３０、１３２をオフすることにより、あるいはプロセッサ１１２が第１および第２の受信機１３０、１３２から受信されるさらに別の情報を処理するのを止めることにより果たされることができる。ステップ８４１では、マルチモード無線通信装置１００が、ホーム通信事業者に関連付けられるチャネルにおいてキャンプする。
【００７８】
ステップ８２０において、第１の受信機１３０によってさらに検査すべきチャネルがない場合には、ステップ８２１において、マルチモード無線通信装置１００が、第２の受信機１３２によってさらに検査すべきチャネルがあるか否かを判定する。第２の受信機１３２によってさらに検査すべきチャネルがない場合には、ステップ８４４において、通信事業者選択回路９１０は、通信事業者リスト１４６上の通信事業者から１つの通信事業者を選択する。この選択は、多数の異なる方法で果たされることができる。たとえば、通信事業者リスト１４６上のこれらの通信事業者のうちの１つがマルチモード無線通信装置１００のためのホーム通信事業者である場合には、ホーム通信事業者が選択されることができる。別法では、マルチモード無線通信装置１００は好ましい通信事業者リストを有することができる。好ましい通信事業者リストは、通信事業者を優先順に記載したものを含む。その際、マルチモード無線通信装置１００は、好ましい通信事業者リストにおいて最も優先順位が高い、通信事業者リスト１４６上の通信事業者を選択する。その後、ステップ８４６において、マルチモード無線通信装置１００が、選択された通信事業者に関連付けられるチャネルにおいてキャンプする。
【００７９】
ステップ８２４では、第１の受信機１３０が動作している間に同時に動作している、第２の無線アクセス技術に関連付けられる第２の受信機１３２が、１つのチャネル上で信号を受信する。第２の無線アクセス技術には、たとえば、ＧＳＭ、ＣＤＭＡ、広帯域ＣＤＭＡ、ＣＤＭＡ２０００、ＡＭＰＳ、ＩＤＥＮあるいは任意の他の適当な無線アクセス技術を用いることができる。その後、ステップ８２６において、セル選択情報解析回路９０４が、その信号からチャネルに関連付けられる通信事業者を得る。そのチャネルに関連付けられる通信事業者は、多数の異なる方法でマルチモード通信装置１００によって得られる
ことができる。第２の受信機１３２は、当該技術分野において知られているように、受信された信号を復調し、復調された信号から通信事業者を読み出すことにより、通信事業者を得ることができる。その際、第２の受信機１３２は、その通信事業者を、セル選択情報解析回路９０４に送るであろう。通信事業者は、セル選択情報解析回路９０４が第２の受信機１３２から信号を受信し、復調された信号から通信事業者を読み出すことによっても得られることができる。
【００８０】
ステップ８３０では、マルチモード無線通信装置１００が、そのチャネルに関連付けられる通信事業者が通信事業者リスト１４６に追加されるべきか否かを判定する。この判定は、たとえば、その通信事業者が通信事業者リスト１４６に既にあるか否かを確認することによって行われることができる。その際、その通信事業者が通信事業者リスト１４６にまだ存在していない場合には、通信事業者リスト１４６に追加される。ステップ８３２において、その通信事業者が通信事業者リスト１４６に追加されるべきであるものと判定された場合には、通信事業者リスト作成回路９１２が、その通信事業者を、通信事業者リスト１４６に追加する。ステップ８３４では、マルチモードチャネル判定回路９０６が、その通信事業者がマルチモード無線通信装置１００のためのホーム通信事業者であるか否かを判定する。その通信事業者がホーム通信事業者でない場合には、ステップ８３６において、マルチモード無線通信装置１００は、第２の受信機１３２によってさらに検査すべきチャネルがあるか否かを判定する。さらに検査すべきチャネルがある場合には、ステップ８３８において、マルチモード無線通信装置１００が第２の受信機１３２を別のチャネルに変更する。
【００８１】
ステップ８３４において、その通信事業者がマルチモード無線通信装置１００のためのホーム通信事業者であった場合には、ステップ８４０および８４１が上記のように実行される。ステップ８３６において、第２の受信機１３２によってさらに検査すべきチャネルがない場合には、ステップ８３７において、マルチモード無線通信装置１００は、第１の受信機１３０によってさらに検査すべきチャネルがあるか否かを判定する。第１の受信機１３０によってさらに検査すべきチャネルがない場合には、ステップ８４４および８４６が上記のように実行される。
【００８２】
図８に示される方法の代替的な実施形態では、ステップ８１８、８４０、８３４および８４１がその方法に含まれない。その場合、マルチモード無線通信装置１００は、ホーム通信事業者に関連付けられるチャネルが見つかったときでも、受信される信号の処理を中止しない。代わりに、マルチモード無線通信装置は、各チャネルを検査している間に、通信事業者を通信事業者リスト１４６に追加し続ける。
【００８３】
他の実施形態では、マルチモード無線通信装置１００は１つあるいは複数のプロセッサを有する。メモリ１７２が１つあるいは複数のプロセッサに接続される。メモリ１７２は、１つあるいは複数のプロセッサに接続され、１つあるいは複数のプロセッサによって実行されると、１つあるいは複数のプロセッサに図３〜図８に関して説明されたステップのような本発明によるステップを実行させる、実行可能な命令を記憶している記憶装置である。
【００８４】
これまでの説明は、異なる無線アセクス技術の２つの受信機を含むマルチモード無線通信装置を利用するための多数の関連する方法を提供してきた。各方法において、２つの受信機は信号を同時に受信し、その信号から、マルチモード無線通信装置が、その信号が受信されたチャネルに関連付けられるセル選択情報あるいは通信事業者のような情報を得る。２つの受信機で信号を同時に受信することにより、マルチモード無線通信装置はより迅速に、キャンプするためのチャネルを特定するか、利用可能な通信事業者のリストを作成するか、あるいは通信事業者を選択することができる。これらのタスクがより迅速に実行
されるので、マルチモード無線通信装置はより速やかにパワーセーブモードに移行することができ、マルチモード無線通信装置の電池寿命が延ばされる。さらに、マルチモード無線通信装置は、マルチモード無線通信装置のユーザに通信機能をより迅速に提供することができる。
【００８５】
本発明の他の変形形態および変更形態の実施態様ならびにその種々の態様は当業者には明らかであり、本発明は説明された特定の実施形態によって限定されないことは理解されたい。たとえば、マルチモード無線通信装置１００は、３つ以上の異なる無線アクセス技術を用いる３つ以上の受信機および／または送信機を備えてもよい。マルチモード無線通信装置１００は、第１の無線アクセス技術に関連付けられる複数の受信機および／または送信機、ならびに第２の無線アクセス技術に関連付けられる１つまたは複数の受信機および／または送信機を備えることもできる。マルチモード無線通信装置１００は、図１に示される全ての構成要素を備えるとは限らないか、あるいは図１に示される構成要素以外の構成要素を備えることもできる。異なる無線アクセス技術を有する複数の受信機を用いて、信号を同時に受信し、セル選択情報あるいは通信事業者情報に加えて、他の情報を得ることができる。それゆえ、本発明によれば、本明細書に開示され、特許請求される基本的な根底をなす原理の精神および範囲内に入るありとあらゆる変更形態、変形形態あるいは同等の形態が網羅されるものと考えられる。
【図面の簡単な説明】
【００８６】
【図１】本発明の例示的な一実施形態による無線移動通信装置を示す図。
【図２】無線移動通信装置において用いるためのインターフェース装置の一実施形態を示す図。
【図３】本発明の一実施形態によるマルチモード無線通信装置においてチャネルを選択するための方法を示す流れ図。
【図４】本発明の一実施形態によるマルチモード無線通信装置において通信事業者情報を得るための方法を示す流れ図。
【図５】本発明の一実施形態によるマルチモード無線通信装置において通信事業者を選択するための方法を示す流れ図。
【図６】本発明の一実施形態によるマルチモード無線通信装置においてチャネルを選択するための別の方法を示す流れ図。
【図７】図６の流れ図の続きの流れ図。
【図８】本発明の一実施形態によるマルチモード無線通信装置において通信事業者情報を得るための方法を示す流れ図。
【図９】本発明の一実施形態によるマルチモードチャネル選択回路の一例を示すブロック図。
【図１】
2006500874.tif 000003
【図２】
2006500874.tif 000004
【図３】
2006500874.tif 000005
【図４】
2006500874.tif 000006
【図５】
2006500874.tif 000007
【図６】
2006500874.tif 000008
【図７】
2006500874.tif 000009
【図８】
2006500874.tif 000010
【図９】
2006500874.tif 000011
【国際調査報告】
2006500874.tif 000012